(57)【要約】      （修正有）【課題】衣服の任意な部位に固定でき、ニーズに応じて表示、装飾を行い、人体に対する健康向上効果を持たせる多機能な健康シートセットを提供する。【解決手段】健康シートセット１０は、お互いに磁気で吸着し、衣服に固定される外部ユニット１２と、内部ユニット１４とを備える。外部ユニットが衣服の外側に、内部ユニットが衣服の内側に、固設される。外部ユニットは、表面に表示部２２を有する。表示部は、商標又は標語を含む図案又は文字、又は装飾物として設けられ、又は電灯、ウレタンフォーム、フレキシブルパッドを含む材料で又は形態に、設けられる。内部ユニットは、人の健康に良い物質を有する。人の健康に良い物質は、磁性物質又は遠赤外線物質などであり、皮膚に作用して健康を増進するという多機能の使用効果が得られる。【選択図】図１
0003224274.tif 000002
【実用新案登録請求の範囲】
【請求項１】
衣服の布地を挟んでお互いに磁気で吸着させて衣服に固定される外部ユニットと内部ユニットとを備え、人体の皮膚の目的の部位に対応した衣服の部位に固定される多機能の健康シートセットであって、
前記外部ユニットが衣服の外側に、前記内部ユニットが衣服の内側に磁気吸着力でそれぞれ固設され、
前記内部ユニットは、人の健康に良い物質を有し、前記人の健康に良い物質は直接皮膚に作用するように前記内部ユニットに設けられることを特徴とする健康シートセット。
【請求項２】
前記外部ユニットと前記内部ユニットとはそれぞれ、磁性材料又は金属材料で作られることを特徴とする請求項１に記載の健康シートセット。
【請求項３】
前記内部ユニットは、人体の皮膚に対応する側に遠赤外線材料を有することを特徴とする請求項１又は２に記載の健康シートセット。
【請求項４】
前記外部ユニットは、表面に表示部を有し、前記表示部は、商標又は標語を含む図案又は／及び文字、又は装飾物として設けられることを特徴とする請求項１又は２に記載の健康シートセット。
【請求項５】
前記外部ユニットは、表面に機能部を有し、前記機能部は、蛍光塗料又は夜行塗料、又はウレタンフォーム、フレキシブルパッドを含む材料又は形態で設けられ、反射、発光又は緩衝パッドを含む機能を果たすことを特徴とする請求項１又は２に記載の健康シートセット。
【請求項６】
前記内部ユニットと、前記外部ユニットとはそれぞれシートを有し、また前記内部ユニットと前記外部ユニットとをお互いに磁気吸着力で固定するための磁気吸着部をそれぞれ複数有し、
前記機能部は各前記シートの人体の皮膚に対応する側とは反対の側に設けられることを特徴とする請求項５に記載の健康シートセット。
【考案の詳細な説明】
【技術分野】
【０００１】
本考案は健康シートに関わり、更に詳しく言えば、必要に応じて衣服の任意の部位にくっつけて固定できる多機能な健康シートセットに関する。
【背景技術】
【０００２】
従来の健康シートは、人体の皮膚の適当な部位（例えば、痛みのある部位又はそこに対応したツボ）に貼り付けられ、健康シートが発する磁気又は遠赤外線で、皮膚の血行をよくし、体の健康作りを促すように用いられるものである。
言い換えれば、従来の健康シートは、皮膚に貼り付けられて用いられるものである。よって、皮膚から剥がれると使用できなくなる使い捨て商品であるため、明らかに資源の無駄遣いとなる。もちろん、複数回使用可能な健康シートもあるが、複数回使用可能なものにしても、粘着性が次第に失われるので、粘着効果にマイナスの影響がある。
【０００３】
それゆえ、磁気付き健康服／健康下着も開発されている。それは基本的に、磁石を服／下着の特定部位（例えばツボ）に固定される構造をなし、そのような服／下着を着ることで、それから発される磁気により血行をよくする効果が得られるというものであり、皮膚に貼り付けるための構造であることからくる制限や使用上の欠点がないのは、従来の健康シートの場合と異なる点である。
しかし、そのような磁気付き健康服／健康下着は、柔らかい織物（衣服／下着本体）に硬い磁石を持たせるように作られたもので、そのような衣服／下着は使用者が複数回洗濯すると、磁石が抜けたり織物の構造が壊れたりしやすくなるほか、重量も比較的重く、これらが使用ニーズ又は着心地のよさにマイナスの影響を与え、実用的価値が若干落ちる。
【考案の概要】
【考案が解決しようとする課題】
【０００４】
本考案は、衣服の任意な部位にくっつけて固定され、ニーズに応じて表示、装飾を行い、人体に対する健康向上効果を持たせるという多機能な用途を有する、優れた使用機能かつ実用的価値のある多機能な健康シートセットを提供することを目的とする。
【課題を解決するための手段】
【０００５】
上述の目的を達成するため、本考案は、人体の皮膚の目的の部位に対応した衣服の部位に磁気吸着力で固定される多機能の健康シートセットである。お互いに磁気で吸着させて、衣服に固定される外部ユニットと内部ユニットを備える。前記外部ユニットが衣服の外側に、内部ユニットが衣服の内側に、固設される。前記内部ユニットは、人の健康に良い物質を有し、前記人の健康に良い物質は、直接皮膚に作用するように前記内部ユニットに設けられる。
【図面の簡単な説明】
【０００６】
【図１】本考案の第一実施形態の分解斜視図である。
【図２】本考案の第一実施形態の使用状態を示す図であり、衣服にくっついた外観を示している。
【図３】本考案の第一実施形態の断面図である。
【図４】本考案の第二実施形態の分解斜視図である。
【図５】本考案の第二実施形態の使用状態を示す図であり、衣服にくっついた外観を示している。
【考案を実施するための形態】
【０００７】
以下、本考案の好適な実施形態を二つ取り上げ、図面とともに、更に詳しく説明する。
【０００８】
（第一実施例）
図１に示す本考案の第一実施形態の健康シートセット１０は、外部ユニット１２と内部ユニット１４を備え、前記外部ユニット１２及び内部ユニット１４はそれぞれ磁性材料又は金属材料で作られる。例えば、前記外部ユニット１２が磁性材料（磁石又は磁気充填材）で作られた場合、前記内部ユニット１４は金属材料で作られ、前記外部ユニット１２が金属材料で作られた場合、前記内部ユニット１４は磁性材料で作られる。前記外部ユニット１２と内部ユニット１４はどちらも磁性材料で作られるが、前記外部ユニット１２と内部ユニット１４とは、Ｎ極とＳ極で互いに生じる磁気吸着力で衣服に固定され、前記外部ユニット１２を衣服の外側に、内部ユニット１４を衣服の内側に固定すればよい。
前記外部ユニット１２は表面に表示部２２を有し、商標、標語を含む図案又は／及び文字、又は装飾物として設けられる。第一実施形態の場合、表示部２２は標語であり、前記内部ユニット１４は皮膚に対応した側に人の健康に良い物質を有し、又は遠赤外線材料（例えばセラミック塗装）が設けられる。これらは直接皮膚に作用して健康を増進する。第一実施形態では人の健康に良い物質は磁石で作られ、磁気の働きで血行を促進するように設けられる。
【０００９】
本考案の健康シートセット１０の使用方法及びその特色は次のようである。
前記健康シートセット１０は、使用時、前記外部ユニット１２と内部ユニット１４を、相互に生じる磁気吸着力で吸着させ、ユーザのニーズに応じて、衣服の任意な部位、例えば、胸、背中などの部位に固設される。図２と図３に示すように、前記外部ユニット１２が衣服の外側に、内部ユニット１４が衣服の内側に設けられる。
外部に露出される前記外部ユニット１２の表示部２２は、表示又は装飾の効果（例えば、講演会などの入場バッジ、ゲストバッジ、又は展示会などの名札など）があるほか、前記内部ユニット１４からは、人の健康作りによい効果が得られるなど、多機能の使用効果がある。
【００１０】
（第二実施例）
図４に示す本考案の第二実施形態の健康シートセット３０は、前記健康シートセット１０とほぼ同じ構造をなし、外部ユニット３２には、シート３４、機能部３６が設けられるのが相違点だが、前記シート３４の表面には蛍光塗料又は夜光塗料、又はウレタンフォーム、フレキシブルパッドなどが設けられ、反射、発光又は緩衝パッドなどの機能材として用いられる。上述したように、前記シート３４は磁性シート又は金属シートに設けられるが、前記機能部３６はウレタンフォーム又はフレキシブルパッドである。例えば、緩衝パッドの機能を有する場合、前記シート３４は、布などの柔かい材料で作られ、前記シート３４の周縁には磁石などで複数の磁気吸引部３８が設けられ、それと同じ構成を有する内部ユニット４０との間でお互いに磁気吸引力で吸着するように設けられる。
図５に示すように、前記健康シートセット３０は更に、肘又はひざに対応した衣服又はズボンの部位に固定され、ひざ保護用として用いられる（ひざに対応した部位に固定されるシートは大抵、矩形をなし、シート３４の形状とは若干異なるが、それらの相違点は本考案の技術的範囲に含まれる）。
【００１１】
上述した内容をまとめると、本考案の健康シートセットは、お互いに磁気で吸引する外部ユニットと内部ユニットを備え、衣服の任意の部位に固定されるものであり、前記外部ユニットと前記内部ユニットがそれぞれニーズに応じて表示機能を持たされ又は装飾され、体に対する健康向上効果を有するなどの多機能用途を有し、優れた使用機能かつ実用的価値がある。
【符号の説明】
【００１２】
（第一実施例）
１  ・・・衣服
１０  ・・・健康シートセット
１２  ・・・外部ユニット
１４  ・・・内部ユニット
２２  ・・・表示部
（第二実施例）
３０  ・・・健康シートセット
３２  ・・・外部ユニット
３４  ・・・シート
３６  ・・・機能部
３８  ・・・磁気吸着部
４０  ・・・内部ユニット
【図１】
0003224274.tif 000003
【図２】
0003224274.tif 000004
【図３】
0003224274.tif 000005
【図４】
0003224274.tif 000006
【図５】
0003224274.tif 000007